(57)【要約】【課題】信号処理部と検査部との接続構造の簡素化を図りつつ、信号処理部の検査を適正に行うことが可能な通信機器を提供すること。【解決手段】第１の電子部品２０１が接続された第１のコネクタ部２００と、第１のコネクタ部２００に対して切換可能に構成されると共に、接続された状態において第１の電子部品２０１に対して所定の処理を行う第２の電子部品２０３が電気的に接続された第２のコネクタ部２０２と、第１のコネクタ部２００と第２のコネクタ部２０２のいずれか一方に電気的に接続されると共に、通信を行うアンテナ６６と、第１のコネクタ部２００と第２のコネクタ部２０２のいずれか一方に電気的に接続されると共に、所定の信号処理を行うＲＦ回路部２０４と、ＲＦ回路部２０４に電気的に接続されると共に、ＲＦ回路部２０４に所定の検査を行う検査実行部３００を接続するための端子２０５と、を有する。【選択図】図５
2009010765.tif 000002
【特許請求の範囲】
【請求項１】
第１の電子部品が電気的に接続された第１のコネクタ部と、
前記第１のコネクタ部に対して電気的に接続された状態と電気的に接続されてない状態とが切換可能に構成されると共に、前記電気的に接続された状態において前記第１の電子部品に対して所定の処理を行う第２の電子部品が電気的に接続された第２のコネクタ部と、
前記第１のコネクタ部と前記第２のコネクタ部のいずれか一方に電気的に接続されると共に、所定の周波数帯域の電磁波により通信を行うアンテナと、
前記第１のコネクタ部と前記第２のコネクタ部のいずれか一方に電気的に接続されると共に、前記アンテナにより通信される電磁波に対して所定の信号処理を行う信号処理部と、
前記信号処理部に電気的に接続されると共に、前記信号処理部に所定の検査を行う検査実行部を接続するための端子と、を有し、
前記アンテナは、前記第１のコネクタ部と前記第２のコネクタ部とが電気的に接続された状態において前記信号処理部に電気的に接続された状態になり、前記第１のコネクタ部と前記第２のコネクタ部とが電気的に接続されてない状態において前記信号処理部に電気的に接続されていない状態になる、ことを特徴とする通信機器。
【発明の詳細な説明】
【技術分野】
【０００１】
本発明は、他の機器と通信を行う通信機器に関する。
【背景技術】
【０００２】
従来技術として、所定の周波数帯域の電磁波により通信を行うアンテナと、アンテナにより通信される電磁波に対して所定の信号処理を行う信号処理部と、信号処理部に対して所定の検査が可能な実行する検査実行部と、アンテナと信号処理部とが接続された第１の状態と検査実行部と信号処理部とが接続された第２の状態とを切換可能に構成されたスイッチ機構と、を有し、信号処理部は、スイッチ機構の第１の状態と第２の状態の切り換えによりアンテナと検査実行部のいずれか一方と接続される、ことを特徴とする携帯電話機が知られている（例えば、特許文献１を参照。）。
【０００３】
このような構成によれば、検査部が信号処理部に接続されている第２の状態において、アンテナが信号処理部に接続されないので、検査部は、アンテナの影響を受けることなく信号処理部の検査を実行することができる。なお、ここでの所定の検査とは、例えば、信号処理部に設けられ、アンテナと接続されるアンプのゲイン値を適正な値に調整するための検査をいう。
【特許文献１】特開２００１−１８５２９６号公報
【発明の開示】
【発明が解決しようとする課題】
【０００４】
しかし、この従来技術の場合、第１の状態と第２の状態とを切り換えるためのスイッチ機構が必要になるため、信号処理部と検査部との接続構造が複雑化してしまう。
【０００５】
一方、スイッチ機構を設けずにアンテナと検査実行部とが信号処理部に対して、常に接続された状態にした場合には、信号処理部と検査部との接続構造自体は簡素化されるものの検査実行部が信号処理部の検査を実行する際に、アンテナ負荷がインピーダンスに影響を与えてしまい、正確な検査を実行することが困難となる。
【０００６】
本発明は、上述のような課題に鑑みてなされたものであり、その目的の一つは、信号処理部と検査部との接続構造の簡素化を図りつつ、信号処理部の検査を適正に行うことが可能な通信機器を提供することにある。
【課題を解決するための手段】
【０００７】
本発明に係る通信機器は、上記課題を解決するために、第１の電子部品が電気的に接続された第１のコネクタ部と、前記第１のコネクタ部に対して電気的に接続された状態と電気的に接続されてない状態とが切換可能に構成されると共に、前記電気的に接続された状態において前記第１の電子部品に対して所定の処理を行う第２の電子部品が電気的に接続された第２のコネクタ部と、前記第１のコネクタ部と前記第２のコネクタ部のいずれか一方に電気的に接続されると共に、所定の周波数帯域の電磁波により通信を行うアンテナと、前記第１のコネクタ部と前記第２のコネクタ部のいずれか一方に電気的に接続されると共に、前記アンテナにより通信される電磁波に対して所定の信号処理を行う信号処理部と、前記信号処理部に電気的に接続されると共に、前記信号処理部に所定の検査を行う検査実行部を接続するための端子と、を有し、前記アンテナは、前記第１のコネクタ部と前記第２のコネクタ部とが電気的に接続された状態において前記信号処理部に電気的に接続された状態になり、前記第１のコネクタ部と前記第２のコネクタ部とが電気的に接続されてない状態において前記信号処理部に電気的に接続されていない状態になる、ことを特徴とする。
【発明の効果】
【０００８】
本発明に係る通信機器によれば、信号処理部と検査部との接続構造の簡素化を図りつつ、適正な信号処理部の検査を行うことができる。
【発明を実施するための最良の形態】
【０００９】
図１は、本発明に係る通信機器の一例である携帯電話装置１の外観斜視図を示す。
【００１０】
携帯電話装置１は、表面がフロントケース２ａとリアケース２ｂにより構成される操作部側筐体部２と、表面がフロントケース３ａとリアケース３ｂにより構成される表示部側筐体部３と、を備えて構成される。操作部側筐体部２は、フロントケース２ａ表面に、操作ボタン群１１と、携帯電話装置１の使用者が通話時に発した音声が入力される音声入力部１２とが露出するように構成される。また、操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。また、操作部側筐体部２の側面には、外部機器（例えば、ホスト装置）と通信を行うためのインターフェースを覆うキャップ１６が設けられている。
【００１１】
また、表示部側筐体部３は、フロントケース３ａに、各種情報を表示するためのディスプレイ２１と、通話の相手側の音声を出力する音声出力部２２とが露出するように構成される。
【００１２】
また、操作部側筐体部２の上端部と表示部側筐体部３の下端部とは、図１に示すように、ヒンジ機構４を介して連結されている。また、携帯電話装置１は、ヒンジ機構４を介して連結された操作部側筐体部２と表示部側筐体部３とを相対的に動かすことにより、操作部側筐体部２と表示部側筐体部３とが互いに開いた状態（開放状態）にしたり、操作部側筐体部２と表示部側筐体部３とが折り畳まれた状態（折畳み状態）にしたりできる。なお、本実施形態において、ヒンジ機構４による折り畳み式の携帯電話装置１の説明をしているが、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、更には、操作部側筐体部２と表示部側筐体部３とが一つの筐体に配置されたもの（いわゆる、ストレートタイプ）でも良い。
【００１３】
また、図２は、操作部側筐体部２に内蔵される部材の分解斜視図である。
【００１４】
図２に示すように、操作部側筐体部２は、フロントケース２ａと、上述した操作ボタン群１１を構成するキーシート４０と、フレキシブルプリント回路基板５０と、シールドケース６０と、基準電位が形成されている層及び携帯電話機用のＲＦ（Ｒａｄｉｏ  Ｆｒｅｑｕｅｎｃｙ）回路部等の各種電子部品を備える回路基板７０と、リアケース２ｂと、バッテリ８０と、バッテリリッド９０と、を備える。また、操作部側筐体部２において、フロントケース２ａと、キーシート４０と、フレキシブルプリント回路基板５０と、シールドケース６０と、回路基板７０と、リアケース２ｂとは、積層的に配置される。また、バッテリ８０は、リアケース２ｂの外側から装脱可能に収納され、バッテリリッド９０により覆われる。
【００１５】
また、フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブルプリント回路基板５０と、シールドケース６０と、回路基板７０とが挟まれるようにして内蔵される。つまり、回路基板７０を覆うようにしてシールドケース６０が積層配置され、また、シールドケース６０の上面側にフレキシブルプリント回路基板５０が積層配置され、また、フレキシブルプリント回路基板５０の上面にキーシート４０が積層配置される。
【００１６】
また、回路基板７０とシールドケース６０とは、複数の連結部において着脱可能に部分的に固定される。また、回路基板７０には、各種電子部品が配置される。各種電子部品は、所定の組み合わせにより複数の回路ブロックを形成する。例えば、無線回路、電源回路、デジタル回路等を含む各種回路ブロックが形成される。
【００１７】
また、シールドケース６０は、薄型の直方体における一の広い面が開口した形状を有する金属製の部材である。なお、シールドケース６０は、金属により形成する以外に、骨格を樹脂により形成し、その表面に導体膜を形成したものでも良い。
【００１８】
フレキシブルプリント回路基板５０は、フロントケース２ａ側の面に複数のキースイッチ５１、５２、５３を有し、シールドケース６０における平板部４２に載置される。フレキシブルプリント回路基板５０のキースイッチ５１、５２、５３は、椀状に湾曲して立体的に形成された金属板のメタルドームを有する構造になっている。メタルドームは、その椀状形状の頂点が押圧されると、フレキシブルプリント回路基板５０の表面に印刷された不図示の電気回路に形成されるスイッチ端子に接触して電気的に導通する。なお、詳細は後述するが、フレキシブルプリント回路基板５０は、複数の絶縁フィルムの間に配線を挟み込んだ基板である。
【００１９】
キーシート４０は、シリコンゴム製のシート４１の表面に操作ボタン群１１が接着剤により貼り付けられて構成される。キーシート４０における操作ボタン群１１を構成する機能設定操作ボタン１３、入力操作ボタン１４及び決定操作ボタン１５は、フレキシブルプリント回路基板５０におけるキースイッチ５１、５２、５３と対向する位置に配置されると共に、後述するフロントケース２ａに形成されるキー孔から露出するように配置される。
【００２０】
フロントケース２ａには、携帯電話装置１を折り畳んだ状態で表示部側筐体部３のディスプレイ２１と対向する内側面に、キー孔が複数形成される。複数のキー孔それぞれからは、キーシート４０上に形成される機能設定操作ボタン１３、入力操作ボタン１４及び決定操作ボタン１５の押圧面が露出する。この露出した操作ボタン群１１を構成する機能設定操作ボタン１３、入力操作ボタン１４及び決定操作ボタン１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００２１】
リアケース２ｂの一端側には、図３に示すように、基台６５に収納されたアンテナ６６が配置される。つまり、アンテナ６６は、携帯電話装置１における一端側に配置される。具体的には、アンテナ６６は、携帯電話装置１におけるヒンジ機構４側と反対の端部側に配置される。また、アンテナ６６は、帯状の板金で形成される。なお、ここでのアンテナ６６の配置位置、形状、材料等は一例であり、これに限定されるものではない。
【００２２】
アンテナ６６は、給電端子を介して回路基板７０から給電される。また、アンテナ６６は、詳細は後述するが、フレキシブルプリント回路基板５０に形成されている配線パターンを介して回路基板７０から給電されると共に、回路基板７０のＲＦ回路部（信号処理部）等と接続される。
【００２３】
また、図４は、表示部側筐体部３に内蔵される部材の分解斜視図である。
【００２４】
表示部側筐体部３は、図４に示すように、フロントケース３ａと、ディスプレイユニット１００と、シールドケース１１０と、基準電位パターン層及びディスプレイ用の電子部品を備える回路基板１２０と、リアケース３ｂと、を備える。
【００２５】
また、フロントケース３ａとリアケース３ｂとは、互いの凹状の内側面が向き合うように配置され、互いの外周縁が重なり合うようにして結合される。また、フロントケース３ａとリアケース３ｂとの間には、ディスプレイユニット１００と、シールドケース１１０と、回路基板１２０と、がこの順番で構成されている。
【００２６】
ディスプレイユニット１００は、ディスプレイ３０と、当該ディスプレイ３０を固定するホルダーとにより構成されている。
【００２７】
シールドケース１１０は、剛性確保及び静電対策用のシールドとして機能する。
【００２８】
回路基板１２０は、図示しないが、リアケース３ｂと向き合う面に各種電子部品が配置されている。当該各種電子部品は、所定の組み合わせにより複数の回路ブロックを形成する。例えば、ディスプレイ３０の表示態様やそのタイミング等の表示制御を行う表示制御ブロックが形成されている。
【００２９】
また、回路基板１２０には、シールドケース１１０と向き合う面に導通部材が設けられており、当該導通部材を介してシールドケース１１０と導通することにより、電気的に接地される。
【００３０】
ここで、アンテナ６６とＲＦ回路部２０４との接続関係について詳述する。
【００３１】
表示部側筐体部３に内蔵されている回路基板１２０は、図５に示すように、複数の端子（例えば、第１の端子２００ａ〜第４の端子２００ｄの４端子）を有する第１のコネクタ部２００を有している。また、第４の端子２００ｄは、回路基板１２０に実装された第１の電子部品２０１（例えば、ディスプレイ３０、カメラ（不図示）等）と電気的に接続されている。なお、第１のコネクタ部２００の各端子（第１の端子２００ａ〜第４の端子２００ｄ）は、汎用性のあるものとする。
【００３２】
また、操作部側筐体部２に内蔵されている回路基板７０は、複数の端子（例えば、第１の端子２０２ａ〜第４の端子２０２ｄの４端子）を有する第２のコネクタ部２０２を有している。また、第４の端子２０２ｄは、回路基板７０に実装された第２の電子部品２０３（画像処理部（不図示）等）と電気的に接続されている。なお、第２のコネクタ部２０２の各端子（第１の端子２０２ａ〜第４の端子２０２ｄ）は、汎用性のあるものとする。
【００３３】
また、第１のコネクタ部２００と第２のコネクタ部２０２とは、図示しない接続ケーブルを介して電気的に接続された状態と電気的に接続されてない状態とが切換可能に構成されている。
【００３４】
また、第１のコネクタ部２００と第２のコネクタ部２０２とが電気的に接続されることにより、第１のコネクタ部２００の第４の端子２００ｄと第２のコネクタ部２０２の第４の端子２０２ｄとが電気的に接続され、その結果、第１の電子部品２０１と第２の電子部品２０３とも電気的に接続される。
【００３５】
ここで、アンテナ６６は、第１のコネクタ部２００と第２のコネクタ部２０２のいずれか一方の空き端子に電気的に接続される。
【００３６】
また、アンテナ６６により送受信される高周波（ＲＦ）信号の処理を行うＲＦ回路部２０４（信号処理部）も、第１のコネクタ部２００と第２のコネクタ部２０２のいずれか一方の空き端子に電気的に接続される。
【００３７】
また、アンテナ６６は、第１のコネクタ部２００と第２のコネクタ部２０２とが電気的に接続された状態においてＲＦ回路部２０４と電気的に接続された状態になり、また、第１のコネクタ部２００と第２のコネクタ部２０２とが電気的に接続されてない状態においてＲＦ回路部２０４に電気的に接続されていない状態になる。
【００３８】
なお、本実施例においては、第１の電子部品２０１と、第２の電子部品２０３とは、アンテナ６６とＲＦ回路部２０４との接続あるいはＲＦ回路部２０４と検査実行部３００との接続とは関連性のない電子部品である。
【００３９】
＜第１の構成例＞
例えば、図６（ａ）に示すように、アンテナ６６は、第１のコネクタ部２００の第１の端子２００ａに接続されており、ＲＦ回路部２０４は、第１のコネクタ部２００の第２の端子２００ｂに接続されている。また、第２のコネクタ部２０２は、第１の端子２０２ａと第２の端子２０２ｂとが導電性のある部材により電気的に短絡されている。なお、図６（ａ）においては、第１の電子部品２０１と第２の電子部品２０３の図示を省略している。
【００４０】
したがって、第１のコネクタ部２００と第２のコネクタ部２０２とが電気的に接続されることによって、アンテナ６６とＲＦ回路部２０４とが電気的に接続される。
【００４１】
＜第２の構成例＞
また、例えば、図６（ｂ）に示すように、アンテナ６６は、第１のコネクタ部２００の第１の端子２００ａに接続されており、ＲＦ回路部２０４は、当該第１のコネクタ部２００の第１の端子２００ａに対応する第２のコネクタ部２０２の第１の端子２０２ａに接続されている。なお、図６（ｂ）においては、第１の電子部品２０１と第２の電子部品２０３の図示を省略している。
【００４２】
したがって、第１のコネクタ部２００と第２のコネクタ部２０２とが電気的に接続されることによって、アンテナ６６とＲＦ回路部２０４とが電気的に接続される。
【００４３】
また、ＲＦ回路部２０４には、ＲＦ回路部２０４に対して所定の検査を行う検査実行部３００を接続するための端子２０５が接続されている。検査実行部３００は、端子２０５に接続されることにより、ＲＦ回路部２０４に対して所定の検査を実行する。なお、ここでの所定の検査とは、例えば、ＲＦ回路部２０４に設けられ、アンテナ６６と接続されるアンプ（不図示）のゲイン値を適正な値に調整するための検査をいう。
【００４４】
また、第１のコネクタ部２００と第２のコネクタ部２０２とは、携帯電話装置１が組み立てられる過程において電気的に接続される。
【００４５】
ここで、携帯電話装置１の組立工程において、つまり、第１のコネクタ部２００と第２のコネクタ部２０２とが接続される工程の前工程において、回路基板７０に実装されているＲＦ回路部２０４の検査、調整を行う。なお、この検査、調整を行う工程においては、まだ、第１のコネクタ部２００と第２のコネクタ部２０２とが接続されていないため、アンテナ６６とＲＦ回路部２０４とは電気的に接続されていない。
【００４６】
したがって、本発明に係る携帯電話装置１は、スイッチ機構や専用のジャンパーを設けることなく、アンテナ６６をＲＦ回路部２０４から電気的に切り離した状態においてＲＦ回路部２０４の検査、調整を行うことができる。つまり、検査、調整の工程において、アンテナ負荷がインピーダンスに影響を与えることが無いため、正確かつ適正な検査、調整を実行することができる。また、本発明に係る携帯電話装置１では、検査、調整後に組立工程に入り、第１の電子部品２０１と第２の電子部品２０３とを接続すべく、第１のコネクタ部２００と第２のコネクタ部２０２とを接続すると、上述したようにアンテナ６６とＲＦ回路部２０４とが接続されるため、従来の構成のように、スイッチ機構を設けることによりアンテナ６６とＲＦ回路部２０４とが接続された状態と、検査実行部３００とＲＦ回路部２０４とが接続されていない状態とを切り換える必要がないため、簡素な構成によりＲＦ２０４と検査実行部３００とを接続することができる。
【００４７】
なお、本実施形態においては、第１のコネクタ部２００と第２のコネクタ部２０２とは、図示しない接続ケーブルにより接続される構成としたが、本発明はこれに限定されず、第１のコネクタ部２００と第２のコネクタ部２０２とが直接挿脱されて接続される構成であっても良い。
【００４８】
また、本実施形態においては、回路基板７０は、操作部側筐体部２に配設され、回路基板１２０は、表示部側筐体部３に配置されていたが、本発明はこれに限定されず、回路基板７０と回路基板１２０とが同一の筐体部に配設される構成でも良い。例えば、回路基板７０と回路基板１２０との双方が、操作部側筐体部２に配設される構成であっても良い。
【００４９】
また、第１の電子部品２０１と第２の電子部品２０３との関係も本実施形態に限定されるものではなく、その他の電子部品であっても良い。例えば、第１の電子部品２０１がキースイッチ５１、５２、５３であり、第２の電子部品２０３が、キースイッチ５１、５２、５３に対する操作を処理するキー処理部であっても良い。
【図面の簡単な説明】
【００５０】
【図１】本発明に係る携帯電話装置の外観を示す斜視図である。
【図２】操作部側筐体部に内蔵される部材の分解斜視図である。
【図３】操作部側筐体部のリアケースを側面から透過したときの図である。
【図４】表示部側筐体部に内蔵される部材の分解斜視図である。
【図５】アンテナとＲＦ回路部との接続関係を示す図である。
【図６】アンテナとＲＦ回路部との具体的な接続関係を示す図である。
【符号の説明】
【００５１】
１  携帯電話装置
６６  アンテナ
７０、１２０  回路基板
２００  第１のコネクタ部
２０１  第１の電子部品
２０２  第２のコネクタ部
２０３  第２の電子部品
２０４  ＲＦ回路部
２０５  端子
２０６  接続部
３００  検査実行部
【図１】
2009010765.tif 000003
【図２】
2009010765.tif 000004
【図３】
2009010765.tif 000005
【図４】
2009010765.tif 000006
【図５】
2009010765.tif 000007
【図６】
2009010765.tif 000008